(57)【要約】      （修正有）【課題】パネル骨組に壁板を並置し取り付けたパネルを両側から柱に当接させ上下の横架材に取り付ける木造耐力壁における耐力性を高める。【解決手段】パネル骨組に壁板を並置し取り付けたパネルに両側から当接させる柱の上側及び下側に１枚または２枚の間隔をおいた長ほぞ差し込み栓を延設し、パネルの両側の各柱の柱脚の長ほぞ差し込み栓を土台の上側に穿設されたほぞ穴に差し込んでから２本の込栓を土台の横断方向に打ち込み長ほぞ差し込み栓を貫通させ、各柱の柱頭の長ほぞ差し込み栓を梁の下側に穿設されたほぞ穴に差し込んでから２本の込栓を土台の横断方向に打ち込み長ほぞ差し込み栓を貫通させてパネルを取り付け保持した構造の木造耐力壁とする。土台とパネルとの間、梁とパネルとの間では、パネルの間柱から延設された長ほぞ差し込み栓とほぞ穴、壁板から突出するダボとダボ穴との結合もなされる。【選択図】図５
2008214947.tif 000002
【特許請求の範囲】
【請求項１】
それぞれ上下両端側に長ほぞ差し込み栓が延設された複数の間柱を横方向に間隔をおいて並置し、該複数の間柱の上下両端側の長ほぞ差込み栓を除いた部分の端部の間にそれぞれ受材を渡してパネル骨組を形成し、該パネル骨組の表側および裏側の両面側において長さが前記パネル骨組の横方向の幅と同等である複数の壁板を前記パネル骨組の左右両側の間柱に横架し、前記複数の壁板を上下両端側の長ほぞ差し込み栓を除く前記間柱の部分の上下方向にわたって隣接して配設し前記壁板をそれぞれビスにより間柱に取付けてなるパネルと、該パネルの左右両側部をそれぞれ上端側及び下端側に長ほぞ差し込み栓が延設された第１および第２の柱に当接して保持し、前記第１及び第２の柱の下側に延接された長ほぞ差し込み栓と該第１及び第２の柱の間に当接して保持された前記パネルの複数の間柱の下側に延設された長ほぞ差し込み栓とを下側の横架材の上側に穿設されたほぞ穴に差し込んでから前記下側の横架材の横断方向に各長ほぞ差し込み栓を貫通する込栓を打ち込んで保持し、前記第１及び第２の柱の上側に延接された長ほぞ差し込み栓と該第１及び第２の柱の間に当接して保持された前記パネルの複数の間柱の上側に延設された長ほぞ差し込み栓とを上側の横架材の下側に穿設されたほぞ穴に差し込んでから前記上側の横架材の横断方向に各長ほぞ差し込み栓を貫通する込栓を打ち込んで保持してなるパネルによる木造耐力壁であって、前記第１及び第２の柱の上側と下側とにそれぞれ１枚ずつ延設された長ほぞ差し込み栓を貫通して前記横架材に渡されるように２本ずつの込栓を打ち込んでなることを特徴とするパネルによる木造耐力壁。
【請求項２】
それぞれ上下両端側に長ほぞ差し込み栓が延設された複数の間柱を横方向に間隔をおいて並置し、該複数の間柱の上下両端側の長ほぞ差込み栓を除いた部分の端部の間にそれぞれ受材を渡してパネル骨組を形成し、該パネル骨組の表側及び裏側の両面側において長さが前記パネル骨組の横方向の幅と同等である複数の壁板を前記パネル骨組の左右両側の間柱に横架し、複数の前記壁板を上下両端側の長ほぞ差し込み栓を除く前記間柱の部分の上下方向にわたって隣接して配設し前記壁板をそれぞれビスにより間柱に取付けてなるパネルと、該パネルの左右両側部をそれぞれ上端側及び下端側に長ほぞ差し込み栓が延設された第１および第２の柱に当接して保持し、前記第１及び第２の柱の下側に延接された長ほぞ差し込み栓と該第１及び第２の柱の間に当接して保持された前記パネルの複数の間柱の下側に延設された長ほぞ差し込み栓とを下側の横架材の上側に穿設されたほぞ穴に差し込んでから前記下側の横架材の横断方向に各長ほぞ差し込み栓を貫通する込栓を打ち込んで保持し、前記第１及び第２の柱の上側に延接された長ほぞ差し込み栓と該第１及び第２の柱の間に当接して保持された前記パネルの複数の間柱の上側に延設された長ほぞ差し込み栓とを上側の横架材の下側に穿設されたほぞ穴に差し込んでから前記上側の横架材の横断方向に各長ほぞ差し込み栓を貫通する込栓を打ち込んで保持してなるパネルによる木造耐力壁であって、前記第１及び第２の柱の上側と下側とにそれぞれ長ほぞ差し込み栓が間隔をおいて２枚ずつ延設され、該２枚ずつ延設された長ほぞ差し込み栓を貫通して前記横架材に渡されるように２本ずつの込栓を打ち込んでなることを特徴とするパネルによる木造耐力壁。
【請求項３】
前記パネル骨組の表側及び裏側において左右両側の間柱に横架される各壁板の長さ方向の一方の側辺にダボが突設されるとともに他方の側辺にダボ穴が穿設され、前記上側の横架材の上側と下側の横架材の上側とにそれぞれダボが突設されるかまたはダボ穴が穿設されており、前記複数の壁板における隣接する相互の壁板の間の接合と、前記パネルの最上部の壁板と前記上側の横架材の下側との接合と、前記パネルの最下部の壁板と前記下側の横架材の上側との接合とがダボ穴へのダボの差し込みによりなされるようにしたことを特徴とする請求項１または２のいずれか１項に記載のパネルによる木造耐力壁。
【発明の詳細な説明】
【技術分野】
【０００１】
本発明は、パネルによる木造耐力壁に関し、特に施工性と家屋の水平外力に対する耐力性に優れたパネルによる木造耐力壁に関するものである。
【背景技術】
【０００２】
住宅の木造耐力壁としては、従来筋交いや構造用合板などでせん断抵抗を高めた剛性の高い耐力壁を採用し梁、土台等の横架材、柱とは金物で接合するのが主流となっているが、金物による接合は木材のめり込みよって緩みが生じ、繰り返し加力に対する復元力を低下させるという問題点がある。これに対し、最近では金物を用いない、社寺建築に用いられているような伝統構法が見直され、落とし込み板壁を住宅の耐力壁として活用することが多くなされている。板壁材を柱材の溝内に嵌め込み壁体を形成するものとしては、以下の文献に開示されるようなものがある。
【０００３】
特許文献１においては、２本の柱材を、平行な２本の梁材の間に所定の間隔をおいて立設し、この柱材の対向する面板取付面に、それぞれ１または平行な２以上の該面板嵌め込み用縦スリット溝を長手方向に沿って設けるとともに、前記梁材の対向する面板取付面に、それぞれ１または平行な２以上の該面板嵌め込み用横スリット溝を長手方向に沿って設け、これらの縦スリット溝および横スリット溝内に、該面板の両側縁部ならびに上縁部、下縁部を嵌め入れて壁体とすることについて記載されている。
【０００４】
特許文献２においては、縦方向に配列した複数の桟木に対し、多数の木板を横方向に配列して成るパネルを基本として、その木板に所定の位置に所定の深さの桟木嵌入の溝を突いて接合させることについて記載されている。
【０００５】
ところが、特許文献１にあっては、木板を室内側の仕上げ材としても活用できるパネルとなっているが、軸組とパネルの接合にはビスを用いるしかなく、間柱胴縁、下地材の取付けや断熱材の充填等の工程を考えると、さほど工期の短縮化が図れないものであった。
【０００６】
また、特許文献２にあっては、柱材および横架材にスリット溝を設けて面材を嵌め込む工法では、剪断抵抗を飛躍的に強くするために接着剤を用いた剛性の高い合板が必要であり、その場合、接着剤を使用するためにシックハウス症候群で見られる健康上の問題点があった。
【０００７】
本発明者は、複数の間柱間に受材を渡してなるパネル骨組の両面側に側辺で相互にダボ−ダボ穴接合される複数の壁板を横架しビスでパネル骨組に取り付けたパネルを両側の柱に当接して保持する木造耐力壁について、特願２００４−２０６４６８号として出願した。このパネルを用いた木造建築では、パネルを工場で大量に生産し、現場で組み立てるという形で工期が短縮され、壁板相互と、パネルの土台、梁への接続がダボでなされていることにより耐力性に優れた木造耐力壁とすることができる。
【０００８】
しかしながら、このパネルを両側で柱により当接して保持し土台に取り付ける際に、パネル下部と柱との下部とに延設された長ほぞ差し込み栓をほぞ穴に差し込み、込栓を打ち込んで固定するのであるが、柱１本に対して延設された１片の長ほぞ差し込み栓を１本の込栓により固定するため、パネルの面内の作用する力に対してはパネル、柱を保持する力が十分とは言えなかった。
【特許文献１】特開平８−２４６５８０号公報
【特許文献２】特開２００３−５３７０９号公報
【発明の開示】
【発明が解決しようとする課題】
【０００９】
前述したように、複数の間柱間に受材を渡してなるパネル骨組に壁板を横架し取り付けたパネルを柱に当接した状態で上側の横架材と下側の横架材との間に取り付ける木造耐力壁において、間柱、柱の長ほぞ差し込み栓を上下の横架材のほぞ穴に差し込んで込栓により固定するパネルの取り付けの形態ではパネル、柱の保持力、板壁の耐力性能が十分ではなかつた。そのため、パネルによる木造耐力壁としてより耐力性能に優れたものとすることが望まれていた。
【課題を解決するための手段】
【００１０】
本発明は前述した課題を解決するためになしたものであって、本発明のパネルによる木造耐力壁は、それぞれ上下両端側に長ほぞ差し込み栓が延設された複数の間柱を横方向に間隔をおいて並置し、該複数の間柱の上下両端側の長ほぞ差込み栓を除いた部分の端部の間にそれぞれ受材を渡してパネル骨組を形成し、該パネル骨組の表側および裏側の両面側において長さが前記パネル骨組の横方向の幅と同等である複数の壁板を前記パネル骨組の左右両側の間柱に横架し、前記複数の壁板を上下両端側の長ほぞ差し込み栓を除く前記間柱の部分の上下方向にわたって隣接して配設し前記壁板をそれぞれビスにより間柱に取付けてなるパネルと、該パネルの左右両側部をそれぞれ上端側及び下端側に長ほぞ差し込み栓が延設された第１および第２の柱に当接して保持し、前記第１及び第２の柱の下側に延接された長ほぞ差し込み栓と該第１及び第２の柱の間に当接して保持された前記パネルの複数の間柱の下側に延設された長ほぞ差し込み栓とを下側の横架材の上側に穿設されたほぞ穴に差し込んでから前記下側の横架材の横断方向に各長ほぞ差し込み栓を貫通する込栓を打ち込んで保持し、前記第１及び第２の柱の上側に延接された長ほぞ差し込み栓と該第１及び第２の柱の間に当接して保持された前記パネルの複数の間柱の上側に延設された長ほぞ差し込み栓とを上側の横架材の下側に穿設されたほぞ穴に差し込んでから前記上側の横架材の横断方向に各長ほぞ差し込み栓を貫通する込栓を打ち込んで保持してなるパネルによる木造耐力壁であって、前記第１及び第２の柱の上側と下側とにそれぞれ１枚ずつ延設された長ほぞ差し込み栓を貫通して前記横架材に渡されるように２本ずつの込栓を打ち込んでなるものである。
【００１１】
また、本発明によるパネルによる木造耐力壁は、それぞれ上下両端側に長ほぞ差し込み栓が延設された複数の間柱を横方向に間隔をおいて並置し、該複数の間柱の上下両端側の長ほぞ差込み栓を除いた部分の端部の間にそれぞれ受材を渡してパネル骨組を形成し、該パネル骨組の表側及び裏側の両面側において長さが前記パネル骨組の横方向の幅と同等である複数の壁板を前記パネル骨組の左右両側の間柱に横架し、複数の前記壁板を上下両端側の長ほぞ差し込み栓を除く前記間柱の部分の上下方向にわたって隣接して配設し前記壁板をそれぞれビスにより間柱に取付けてなるパネルと、該パネルの左右両側部をそれぞれ上端側及び下端側に長ほぞ差し込み栓が延設された第１および第２の柱に当接して保持し、前記第１及び第２の柱の下側に延接された長ほぞ差し込み栓と該第１及び第２の柱の間に当接して保持された前記パネルの複数の間柱の下側に延設された長ほぞ差し込み栓とを下側の横架材の上側に穿設されたほぞ穴に差し込んでから前記下側の横架材の横断方向に各長ほぞ差し込み栓を貫通する込栓を打ち込んで保持し、前記第１及び第２の柱の上側に延接された長ほぞ差し込み栓と該第１及び第２の柱の間に当接して保持された前記パネルの複数の間柱の上側に延設された長ほぞ差し込み栓とを上側の横架材の下側に穿設されたほぞ穴に差し込んでから前記上側の横架材の横断方向に各長ほぞ差し込み栓を貫通する込栓を打ち込んで保持してなるパネルによる木造耐力壁であって、前記第１及び第２の柱の上側と下側とにそれぞれ長ほぞ差し込み栓が間隔をおいて２枚ずつ延設され、該２枚ずつ延設された長ほぞ差し込み栓を貫通して前記横架材に渡されるように２本ずつの込栓を打ち込んでなるものとしてもよい。
【００１２】
前記パネル骨組の表側及び裏側において左右両側の間柱に横架される各壁板の長さ方向の一方の側辺にダボが突設されるとともに他方の側辺にダボ穴が穿設され、前記上側の横架材の上側と下側の横架材の上側とにそれぞれダボが突設されるかまたはダボ穴が穿設されており、前記複数の壁板における隣接する相互の壁板の間の接合と、前記パネルの最上部の壁板と前記上側の横架材の下側との接合と、前記パネルの最下部の壁板と前記下側の横架材の上側との接合とがダボ穴へのダボの差し込みによりなされるようにしてもよい。
【発明の効果】
【００１３】
本発明では、パネル骨組に壁材を並置してビスで取り付けてなるパネルを下側の横架材と上側の横架材との間に取り付けるに際し、柱の長ほぞ差し込み栓と、これを貫通するように打ち込む込栓との少なくとも一方を複数にすることにより、柱の長ほぞ差し込み栓が１枚で込栓が１本の標準型の取り付けの場合より耐力性を格段に高めた木造耐力壁とすることができる。
【発明を実施するための最良の形態】
【００１４】
本発明による木造耐力壁は、複数の間柱間に受材を渡してなるパネル骨組に複数の壁板を並置し横架してビスでパネル骨組に取り付けたパネルを両側の柱に当接して保持し柱及びパネルを土台に接合する際に、間柱や柱に延設される長ほぞ差し込み栓を柱１本について１枚または２枚とし、土台側において長ほぞ差し込み栓を固定するために横方向に打ち込む込栓を２本とすることにより水平荷重に対する耐力性を高めるものである。
【００１５】
本発明の木造耐力壁におけるパネルは図１に示すような形で組み立てられるものであり、背景技術においてあげた先行出願に示したものであるが、概略的に説明する。図１において、パネル１は３本の間柱２ａ，２ｂ，２ｃを間隔をおいて並置し、それぞれの間柱の両端側間に受板５を渡して矩形のパネル骨組を形成する。間柱と受材との結合はほぞとほぞ穴とによってなされる。このパネル骨組の両面に長さが骨組の横方向の幅と同等な複数枚の壁板６を横架して並置し、パネル骨組の間柱２ａ，２ｂ，２ｃにビス７で固定する。
【００１６】
間柱２ａ，２ｂ，２ｃの両端にはそれぞれ土台、梁のほぞ穴に挿入するための長ほぞ差し込み栓３ａ，４ｂ；３ｂ，４ｂ；３ｃ，４ｃが延設さており、またそれぞれの壁板６の一方の側辺にダボ６ａが突設され、対応する他方の側辺の位置にダボを差し込むダボ穴（図では見えない）が穿設されている。図１ではパネル骨組の下側の面の長ほぞ差し込み栓を除いた全面にわたって骨組の縦方向に壁板６が相互にダボ−ダボ穴で側辺を接合されるようにして並置された上でビス７で固定されている。パネル骨組の上側の面は一部分が壁板６で覆われた状態になっており、さらに壁板を並置して取り付けていき、下面と同様に長ほぞ差し込み栓を除く全面に壁板７が渡され、ビス７で固定されることによりパネル１が完成する。このようにパネル１はパネル骨組の両側の面（図ではパネル骨組の下側の面と上側の面）において両側の間柱の間で上下の長ほぞ差し込み栓を除く全面にわたって壁板が並置されビスで固定されてなるものであり、複数の壁板が並置・固定されたパネルの一方の面が表面、他方の面が裏面となり、木造耐力壁として構成された時の室内側あるいは室外側の面となる。
【００１７】
なお、パネルに断熱材を収納する際には、下側の間柱３ａ，３ｂ，３ｃと受け板５とで囲まれた空間内に断熱材を配置してから上側の壁板を取り付けていく。また、以上のようにパネルを組み立てる実際の工程では、パネル骨組を載置し保持するためその外形寸法に合わせた寸法の図示しない型枠材上にパネル骨組を載置し長ほぞ差し込み栓の部分を万力等で保持固定した上で壁板の取り付け作業を行うというような形態とするのがよい。
【００１８】
図２は組み立てられたパネル１を土台１０に取り付ける要領を示している。パネル１の上側に間柱からの長ほぞ差し込み栓３ａ，３ｂ，３ｃと最上部の壁板からのダボ６ａが突出し、パネル１の下側に間柱からの長ほぞ差し込み栓４ａ，４ｂ，４ｃが突出しており、また最下部の壁板の下側にはタボ穴が形成されている。土台１０の上面にはそれぞれ長ほぞ差し込み栓３ａ，３ｂ，３ｃを差し込むためのほぞ穴１１ａ，１１ｂ，１１ｃが穿設され、またパネルの両側に取り付ける柱下部の長ほぞ差し込み栓を差し込むためのほぞ穴１１ｄ，１１ｅが穿設されている。土台１０の上面にはさらにパネルの最下部の壁板下面のダボ穴に差し込まれるダボ１３が突設されており、土台１０のほぞ穴１１ａ〜１１ｅに対応する位置に側面から横方向に長ほぞ差し込み栓固定のための込栓を打ち込むための込栓穴１２が穿設されている。
【００１９】
図３はパネルの両側に柱を組み合わせる状態を示している。パネル１の間柱２ａに当接する柱２０ａの側には間柱の幅、長さに相当する溝２１ａが刻設されており、パネル１の間柱２ｃに当接する柱２０ｂの側にも同様に溝（図では見えない）が刻設されている。このパネルの間柱と当接する柱２０ａ，２０ｂの側における溝の上側に梁３０から延設された長ほぞ差し込み栓を差し込むためのほぞ穴が穿設されており、柱２０ａ，２０ｂには梁３０から延設された長ほぞ差し込み栓がはいらのほぞ穴に差し込まれた後に固定するための込栓を挿入する込栓穴が穿設されており、また柱の下端側には土台１０に穿設されたほぞ穴に差し込むための長ほぞ差し込み栓２３ａ，２３ｂがそれぞれ延設されている。また、梁３０の下面にはパネル１の上側に間柱２ａ，２ｂ，２ｃから突出する長ほぞ差し込み栓３ａ，３ｂ，３ｃを差し込むためのほぞ穴と、最上部の壁板の側方から突出するダボを差し込むためのダボ穴とが穿設されており、長ほぞ差し込み栓が差し込まれた後に込栓を打ち込むための込栓穴が穿設されている。
【００２０】
図３において、パネル１を直立させ土台１の下方に間柱２ａ，２ｂ，２ｃからそれぞれ突出する長ほぞ差し込み３ａ，３ｂ，３ｃを土台の上面におけるほぞ穴１１ａ，１１ｂ，１１ｃにそれぞれ差し込むとともに、土台１０の上側に突出するダボをパネル１の最下部の壁板におけるダボ穴に差し込むことによってパネル１を土台１０上の所定の位置に保持させた後に、柱２０ａ，２０ｂに刻設された溝をパネル１の両側の間柱に沿わせて下降させていく。その際、土台１０におけるほぞ穴１１ｄ，１１ｅ（図２）の上側に柱受け板１４ｄ，１４ｅを載置しておくのがよい。柱２０ａ，２０ｂ間の上側の位置に梁３０を渡し梁３０から延設された長ほぞ差し込み栓を柱２０ａ，２０ｂのほぞ穴に差し込んで梁３０を柱２０ａ，２０ｂ間に張架させた後に、柱受け板１４ｄ，１４ｅを抜き取るとともに、柱２０ａの下側の長ほぞ差し込み栓２３ａと，柱２０ｂの下側の長ほぞ差し込み栓２３ｂとをそれぞれほぞ穴１１ｄ，１１ｅに差し込むとともに、パネル１の上側に間柱２ａ，２ｂ，２ｃから突出する長ほぞ差し込み栓３ａ，３ｂ，３ｃと最上部の壁板から突出するダボ６ａとをそれぞれ梁の下側に穿設された対応するほぞ穴、ダボに差し込む。このようにしてパネル１を土台１０と梁３０との間に組み込んだ後に、図４に示すように、土台１における込み栓穴１２、柱２０ａ，２０ｂにおける込み栓穴２２ａ，２２ｂ、梁３０における込み栓穴３２にそれぞれ込み栓を打ち込んでパネル組み立てを完了する。
【００２１】
図１のように形成されるパネル１においては、個々の壁板６におけるダボとダボ穴とがパネルとして構成されたときの縦方向に直線上に並ぶ位置にあり、パネルとしてダボが縦方向に直線状に配置されたものとしている。壁板の幅とダボの長さによってはこのようなダボの配置とせずに個々の壁板６のダボの位置と反対側のダボ穴の位置とをパネルとしての縦方向に見てずらせた位置にし、パネルとしてはダボが千鳥状になるような配置形態とするようにしてもよい。
【００２２】
図３、図４のようにパネル１を土台１と梁３０との間に組み込む工程においては、パネル１、柱２０ａ，２０ｂ、梁３０を搬入し、組み立てる際に傷つかないように事前処理し、ワイヤロープを介してレッカー車で吊り下げながら組み立て作業を行うのがよい。
【００２３】
図３、図４においては、パネル１枚を取り付けたものを示しているが、さらにパネルを並設する場合には土台の上側のパネル取り付け位置にダボ、ほぞ穴を穿設しておき、柱の側面にパネルが添う溝を刻設しておいて、同様にパネルが取り付けることができる。また、梁として複数のパネルを取り付けるために土台と同様の長さのものとする場合、図３、図４での柱２０ａ，２０ｂの長さはパネルの間柱の長さと同じとし、柱２０，２０ｂの上側にも長ほぞ差し込み栓が延設しておき、また、梁の下側には柱２０ａ，２０ｂの下側にほぞ穴を穿設しておいて、それぞれの長ほぞ差し込み栓を差し込みパネルの上側の固定を行うようにする。
【００２４】
前述したパネルにおいては、複数の間柱間に受材を渡してなるパネル骨組に側辺で相互にダボ−ダボ穴接合される複数の壁板を横架しビスでパネル骨組に取り付けてなるものであり、木造耐力壁としての剛性、耐力を高めることができ、柱頭、柱脚部接合部への応力集中が抑制され、上下横架材（土台、梁）の間にダボを打ち込むことにより初期すべり変形が防止されることのほか、パネルにおける表裏２枚の壁板間の空間に断熱材を挿入して断熱・調湿性能を確  保することができるというような特徴がある。
【００２５】
一方、上述のパネルの上下横架材間（土台、梁）への組み込みに際し、パネルから上側及び下側に突出する長ほぞ差し込み栓を土台、梁におけるほぞ穴に差し込み、土台、梁に横方向に穿設された込栓穴に込栓を打ち込んで長ほぞ差し込み栓に貫通させ土台または梁の幅にわたって挿入することによりパネルを固定しており、この長ほぞ差し込み栓は一般的に柱、間柱ごとに１枚延設し、この長ほぞ差し込み栓に対し１本の込栓を打ち込むようにしている。
【００２６】
本発明においては、パネルと土台、梁とを接合するために柱から延設する長ほぞ差し込み栓を各柱の上側及び下側についてそれぞれ１枚または２枚とし、また長ほぞ差し込み栓ごとに２本の込栓を打ち込んで貫通させることにより、込栓が１本の場合よりパネルと横架材との結合力、壁構造としての耐力性をさらに高めるものである。
【００２７】
図５（ａ）〜（ｄ）は柱に延接された長ほぞ差し込み栓の枚数、込栓の本数の関係を示しており、（ａ）は標準的な型で１枚の長ほぞ差し込み栓に対し１本の込栓とした場合、（ｂ）は２枚の長ほぞ差し込み栓に対し１本の込栓とした場合、（ｃ）は１枚の長ほぞ差し込み栓に対し２本の込栓とした場合、（ｄ）は２枚の長ほぞ差し込み栓に対し２本の込栓とした場合である。図で土台は短く示しているが、実際にはより長くなっている。本発明では、（ａ）〜（ｄ）の形態のうち、（ｃ）の１枚の長ほぞ差し込み栓に対し２本の込栓とする形態、（ｄ）の２枚の長ほぞ差し込み栓に対し２本の込栓とする形態をとるものである。また、柱頭と土台（下側の横架材）との接合について示しているが、柱頭と梁（上側の横架材）との接合についても（ｃ）、（ｄ）の場合と同様に各柱について長ほぞ差し込み栓を１枚または２枚、込栓を２本とする。
【００２８】
本発明者は、図１〜４に関して説明したようなパネル骨組に板壁を横架しビスで取り付けたパネルを両側の柱に当接して保持し柱及びパネルを土台に接合した構造を作製し、柱に延設される長ほぞ差し込み栓と、これを固定する込栓との少なくとも一方を複数とした場合についての水平加力試験により耐力性についての検証を行った。
【００２９】
試験体は図６（ａ）〜（ｄ）に示す４種類である。図では壁面と断面との寸法を示してあるが、パネル、柱の外形寸法は４種類とも同じであり、試験体Ａ１，試験体Ａ２はパネルの中央の間柱がないもの、試験体Ｂ１，Ｂ２はパネルの中央の間柱があるものとなっている。これらの試験体の構造では、柱脚との柱頭に延設された長ほぞ差し込み栓、間柱の上下に延設された長ほぞ差し込み栓を下側の横架材（土台）及び上側の横架材（梁）にそれぞれ穿設されたほぞ穴に差し込み、また土台とパネル最下部の壁板側辺との間、最上部の壁板側辺と梁との間はダボ−ダボ穴の接合がなされている。
【００３０】
込栓はいずれの試験体でも２本としてあり、長ほぞ差し込み栓が試験体Ａ１では１枚、試験体Ａ２では２枚、試験体Ｂ１では１枚、試験体Ｂ２では２枚としてある。長ほぞ差し込み栓を２枚とし、込栓を２本とするのは引張力の作用する柱についであり、間柱にはせん断力が作用し引張力は作用しないので、間柱については長ほぞ差し込み栓は１枚、込栓は１本とする。また柱について長ほぞ差し込み栓を２枚とする場合、上側の梁に差し込まれる長ほぞ差し込み栓と下側の土台に差し込まれる長ほぞ差し込み栓とをともに２枚とし、込栓を２本とするのも上側で梁から打ち込むのと、下側で土台から打ち込むのとをともに２本にする。
【００３１】
試験体の外形寸法は幅１４３０ｍｍ、高さ２５８０ｍｍ、奥行き（厚さ）９０ｍｍであり、柱間、横架材間は芯々でそれぞれ９１０ｍｍ、２４１５ｍｍである。軸組部の柱、土台は１２０ｍｍ×１５０ｍｍのヒノキ、梁は１２０ｍｍ×１８０ｍｍのベイマツを用いている。壁板は３０ｍｍ×１９０ｍｍのスギを用い、パネル骨組の表裏両面に１２枚ずつ計２４枚取り付けたものであり、タボは幅１５ｍｍ×長さ４５ｍｍとしている。タボ、込栓、ほぞ、間柱の寸法は表１のようになっている。
【００３２】
【表１】
2008214947.tif 000003
【００３３】
このような試験体Ａ１，Ａ２，Ｂ１，Ｂ２を用いて水平加力試験を行った。また、試験体と同形寸法で柱の長ほぞ差し込み栓が１枚、込栓が１本の基準試験体についても試験を行い、対比した。
【００３４】
試験方法は（財）日本住宅・木材技術センターによる木造軸組工法住宅の許容応力度設計における耐力壁の面内せん断試験方法に準拠して、試験体の柱脚部を加力装置に緊結する柱脚固定式で行った。反力フレームに試験体下部（土台）をボルトで固定し、反力フレームに取り付けたＰＣ鋼棒を介してジャッキとロードセルを固定し、試験体上部（梁）に対し試験体の面内の水平荷重を加えるようにした。試験の内容は次のようである。
（１）加力方法は正負交番漸増繰り返し加力とし、繰り返し履歴は見かけのせん断変形角が１／６００，１／４５０，１／３００，１／２００，１／１５０，１／１００，１／７５，１／５０ｒａｄの正負変形時に行う。ここで、見かけのせん断変形角は梁材の水平方向変位から土台の水平方向変位を減じ、これを変位計間距離で除したものである。
（２）繰り返し加力は履歴の同一変形段階で３回の繰り返し加力を行う。
（３）最大荷重に達した後、最大荷重の８０％の荷重に低下するか、試験体の見かけの変形角が１／１５ｒａｄに達するまで加力する。なお、見かけの変形角が１／１５ｒａｄを超えても最大荷重の８０％まで荷重が低下しない場合には、見かけの変形角１／１５ｒａｄを終局変形角とし、その時の荷重を最大荷重として扱う。
【００３５】
このような方法で各試験体に水平荷重を加える加力試験を行った。図７、図８、図９、図１０はそれぞれ試験体Ａ１、試験体Ａ２、試験体Ｂ１、試験体Ｂ２についての試験結果を示しており、これらの図で縦軸は試験体の梁に加力した水平方向荷重（ｋＮ）、横軸は試験体（梁）の水平方向変位（ｍｍ）を表している。また、このときの各試験体についての最大荷重、初期剛性、幸福耐力等の結果について表２に示す。表２での試験体のうちＮｏ．３は試験体Ａ１等と同形，同寸で長ほぞ差し込み栓が１枚、込栓が１本の標準型の一例としてあげたものである。
【００３６】
【表２】
2008214947.tif 000004
【００３７】
試験の結果からすれば、長ほぞ差し込み栓が１枚、込栓が１本Ｎｏ．３のような試験体では接合部耐力が４．７２〜６．４１であるのに対し、試験体Ａ１，Ａ２，Ｂ１，Ｂ２では接合部耐力が９．８８〜１０．８５というように高くなる。図７（Ａ１）と図８（Ａ２）との比較、図９（Ｂ１）と図１０（Ｂ２）との比較により長ほぞ差し込み栓が１枚の場合より２枚の方が初期段階での伸びが顕著になるという柱脚の効果が見られる。また、図７（Ａ１）と図９（Ｂ１）との比較、図８（Ａ２）と図１０（Ｂ２）との比較により間柱のないパネルより間柱のあるパネルの方が１／５０ｒａｄを超えてからの耐力増加が大きくなるというように間柱の効果が出てくることがわかる。
【００３８】
なお、前述の試験では試験体において、柱頭と上側の横架材（梁）との接合は１枚の長ほぞ差し込み栓、１本の込栓となっており、この試験体を用いた試験では上側の接合部分が荷重を高めた時に先行破壊していることからすれば、柱頭と梁との上側の接合部分についても長ほぞ差し込み栓は１枚または２枚とし、込栓はそれぞれの場合に２本とするのが好ましいと言える。
【００３９】
このように、本発明においては、複数の間柱間に受材を渡してなるパネル骨組に複数の壁板を並置し横架してビスでパネル骨組に取り付けたパネルを両側の柱に当接して保持し柱及びパネルを土台に接合する際に、間柱や柱に延設される長ほぞ差し込み栓と、土台側において長ほぞ差し込み栓を固定するために横方向に差し込む込栓との少なくとも一方を複数とすることにより、水平荷重に対する耐力性を高められるものである。
【図面の簡単な説明】
【００４０】
【図１】本発明の木造耐力壁に用いられるパネルを組み立て状態において示す図である。
【図２】パネルを土台に差し込む状態を示す図である。
【図３】パネルを土台に差し込んでからパネルに両柱、梁を組み合わせる状態を示す図である。
【図４】パネルの取り付け終了後に込栓を打ち込む状態を示す図である。
【図５】柱を土台に取り付けるための長ほぞ差し込み栓の枚数と、込栓の本数の形態を示す図であり、（ａ）長ほぞ差し込み栓が１枚、込栓が１本の標準型の場合、（ｂ）長ほぞ差し込み栓が２枚、込栓が１本の場合、（ｃ）長ほぞ差し込み栓が１枚、込栓が２本の場合、（ｄ）長ほぞ差し込み栓が２枚、込栓が２本の場合を示している。
【図６】（ａ）〜（ｄ）：水平耐力試験を行った本はつパネルによる木造明による耐力壁の形状・寸法を示す図である。
【図７】図６（ａ）の試験体についての試験結果を示すグラフである。
【図８】図６（ｂ）の試験体についての試験結果を示すグラフである。
【図９】図６（ｃ）の試験体についての試験結果を示すグラフである。
【図１０】図６（ｄ）の試験体についての試験結果を示すグラフである。
【符号の説明】
【００４１】
１      パネル
２ａ，２ｂ，２ｃ  間柱
３ａ、３ｂ、３ｃ  長ほぞ差し込み栓
４ａ，４ｂ、４ｃ  長ほぞ差し込み栓
５      受板
６      壁板
６ａ    ダボ
７      ビス
１０    土台
１１ａ〜１１ｅ    ほぞ穴
１２    込栓穴  
２０ａ，２０ｂ    柱
２１ａ  溝
２２ａ，２２ｂ    込栓穴
２３ａ，２３ｂ    長ほぞ差し込み栓
３０    梁
３２    込栓穴
【図１】
2008214947.tif 000005
【図２】
2008214947.tif 000006
【図３】
2008214947.tif 000007
【図４】
2008214947.tif 000008
【図５】
2008214947.tif 000009
【図６】
2008214947.tif 000010
【図７】
2008214947.tif 000011
【図８】
2008214947.tif 000012
【図９】
2008214947.tif 000013
【図１０】
2008214947.tif 000014